(57)【要約】【課題】構造簡単にして特段の技術を要することなく、自由にかつ安全に角質層の除去が行える皮膚の角質層除去器具を提供する。【解決手段】硬質な材料で適宜幅の平板に形成された基板２に、相互に干渉しない間隔で複数の切削孔４が穿設され、その各切削孔４の内周縁部５が刃先を形成している。また前記基板２の表面に砥粒７による研削層６が付着形成されている。使用時には目的部位の表面に基板２を押し当てて前記切削孔４の内周縁部５にて形成される刃先部により角質層を削り取る。【選択図】図１
0003131031.tif 000002
【実用新案登録請求の範囲】
【請求項１】
硬質な材料で適宜幅の平板に形成された基板に、相互に干渉しない間隔で複数の切削孔が穿設され、その各切削孔の内周縁部が刃先を形成していることを特徴とする皮膚の角質層除去器具。
【請求項２】
前記基板は、表面に微小な砥粒が付着されている研削層を備えている請求項１に記載の皮膚の角質層除去器具。
【考案の詳細な説明】
【技術分野】
【０００１】
本考案は、主としてヒトの皮膚の角質層除去器具に関し、詳しくは踵などに生じる皮膚の角質化した部分を効率よく除去できる皮膚の角質層除去器具に関するものである。
【背景技術】
【０００２】
従来、ヒトの踵、肘などに生じる角質層を除去するのに、使用に適した寸法形状に切り出された軽石を用いて角質層を削りとることが知られている。しかし、この手法では軽石の細かい空間部が削り滓などで目詰まりを起こしその性能が低下し、また削り滓の除去が容易でないことから、削り滓の皮脂が酸化することにより悪臭を放ち衛生上好ましくない。このような問題点を解決する手段として、握り部を有する本体に切削刃を環状に配して取り付けた構成で、その切削刃を角質層に押し当てて擦り、角質層を削り取るようにした角質層除去具が特許文献１によって提案されている。
【０００３】
また、ケーシングの底板を処置しようとする角質層の除去時のガイドとし、このケーシングの底面から切削刃の刃先を突き出させて皮膚面に押し当てながら角質層を削り取ると同時にその削り滓をケーシング内に捕集するようにした角質除去具が特許文献２によって提案されている。
【０００４】
このほかに、皮膚の表層を微細構造の突起要素を密に配した基材を用いて、皮膚表層（角質層）を擦り取るようにして皮膚を清浄にし、コンディショニングするものが特許文献３によって知られている。
【０００５】
【特許文献１】特開２００２-１０９４４号公報
【特許文献２】特開２００５−３０４９５３号公報
【特許文献３】特表２００５−５０２４１４号公報
【考案の開示】
【考案が解決しようとする課題】
【０００６】
しかしながら、前記先行技術においては、例えば特許文献１によって知られる角質層除去具では、刃先が皮膚に対して略直角に接して押し当てるようにされ、この状態を維持して角質層の表層を削ることになるので、いわば刃によって角質層面をしごくので、効率が悪く、押付け加減が定まらないと皮膚を傷付ける危険性がある。また、一度に広い面に接触するので、使用時に彎曲した面に押し当てて角質化した部分を削りとるには熟練を要するなどの問題点がある。当然、刃先を立てて使用するので、切れ味が低下しやすく、刃先を研いで再生することができないなど、不都合である。
【０００７】
また、前記特許文献２によって知られる角質層除去具では、ケーシングの底板面をガイドにして切削刃の刃先部を前記底板面から突出させて角質層を削るようにされ、その刃先部の底板面（ガイド）からの露出量を加減できる機能も備えているので、前記特許文献１によるものに比べて有効であることは認められる。しかし、この角質層除去具では、ケーシング内に切削刃部を組み込んだ構造とされているので、目的とする角質層の除去部に対して押し当てる切削刃を適切に接触させて処置するにはケーシングが邪魔をして目視できない。そのため、見当を付けて切削刃を被処置部にあてがうことになり、必要箇所から外れると健全な皮膚を傷つける虞があり、自由に使用するにはかなりの熟練を要するという問題点がある。
【０００８】
また、特許文献３に開示の技術では、規則的に配置されたエッジ部を有する微細要素（突起）を備える基材で、皮膚面を擦って皮膚表層を取り除くもので、一般的なヒトの皮膚表層での死んだ細胞や化粧などでふさがれた皮膚の孔から生じる面皰の分解・除去などを行うのに用いることは有効であるが、厚く硬化した角質層を削り取るには切除効果に乏しく適しない。また、形状的にスケールアップしたとしても、その構造では切刃を確保しがたく、コストアップして実用的でない。
【０００９】
本考案は、前記従来技術における問題点を解決するためになされたもので、構造簡単にして特段の技術を要することなく、自由にかつ安全に角質層の除去が行える皮膚の角質層除去器具を提供することを目的とするものである。
【課題を解決するための手段】
【００１０】
前記目的を達成するために、本考案による皮膚の角質層除去器具は、
硬質な材料で適宜幅の平板に形成された基板に、相互に干渉しない間隔で複数の切削孔が穿設され、その各切削孔の内周縁部が刃先を形成していることを特徴とするものである（第１考案）。
【００１１】
前記考案において、前記基板は、表面に微小な砥粒が付着されている研削層を備えているのがよい（第２考案）。
【考案の効果】
【００１２】
本考案においては、硬質材料で形成される基板に設けられた孔の内周縁部を刃として使用するようにされるので、皮膚面に盛り上がって生じている角質層に基板をあてがって引くことにより、複数設けられる孔の内縁部全周がすべて切削刃として機能するから、いずれかの孔縁によって角質層が削られ、一度に大きく切り込まれないので、深削りすることなく削り落とすことができる。したがって、目的部位の皮膚面の形状に合わせて基板を角質層にあてがい引くようにすれば、その基板面が即ガイド面となって滑らせることで、その移動方向に対応した孔内縁部分が切削刃先として機能し、角質層を削ることができる。
【００１３】
このように、本考案によれば、平板に設けた孔の内縁を刃先として使用する構成とされているので、その刃先に方向性が求められないので、処置しようとする肢体の任意の部位に対応して基板を押付け摺動させることにより、深削りすることなく徐々に角質層を削り取ることができ、取扱が容易であるという利点がある。また、孔の内縁が刃先となっているので、通常の取扱で皮膚を損傷することがなく安全であり、構造的にも簡単な形状であるから安価に提供できるという効果を奏する。
【００１４】
また、第２考案の構成を採用することにより、切削と同時にあてがっている基板面付着の砥粒によって切削部位の周面を削るとともに表面の荒れを平滑化することができ、効率よく処置できるという効果を奏する。
【考案を実施するための最良の形態】
【００１５】
次に、本考案による皮膚の角質層除去器具の具体的な実施の形態について、図面を参照しつつ説明する。
【００１６】
図１には本実施形態の皮膚の角質層除去器具を表わす全体斜視図が示されている。図２には図１におけるＡ−Ａ視拡大断面図が、図３には他の実施形態の一部拡大斜視図が、図４には図３の要部の拡大断面図が、それぞれ示されている。
【００１７】
この実施形態の皮膚の角質層除去器具１（以下、単に「角質層除去器具１」という）は、熱処理を施した所要厚さの金属板で細長く形成されて複数個の孔が穿設されてなる基板２と、この基板２の長手端部に柄部３を備えて形成され、前記基板２に設けられた切削孔４の内周縁部５がエッジ状にされて、そのエッジ部分（内周縁部５）が切削刃となるようにされている。なお、前記柄部３は使用時に手で把持しやすいようにプラスチックなどで形成された柄が被覆装着されている。
【００１８】
前記基板２は、肉厚を１ｍｍ程度の鋼板で、その幅寸法がヒト（成人）の肢体（足や腕部）の最小幅寸法よりも狭い幅寸法で適宜長さにて柄部３ａが一体に形成されたもので、先端部２ａ（柄部３ａと反対側）の幅方向両側に丸みを付けた形状にされている。
【００１９】
この基板２に設けられる切削孔４は、処置しようとする皮膚の角質層に対して押し当てたとき、その切削孔４の内部に角質層ａが食み出し得る程度の孔寸法（具体的には、直径が５ｍｍ以上）の丸孔に形成されている。そして、この切削孔４は、例えば長手方向に所要の間隔で複数、千鳥配列で複数列に設けられている。なお、切削孔４の間隔については相互に干渉しない寸法とされ、基板２が剛性を維持できる状態に設定されるのが好ましい。
【００２０】
また、前記基板２については、ステンレス鋼で形成され、穿設された前記切削孔４の内周縁部５が刃先として機能するように熱処理を施してある。したがって、焼入れ容易なステンレス鋼（例えば、マルテンサイト系ステンレス鋼  ＳＵＳ４２０Ｊ２、ＳＵＳ４１０など）で形成されているのが好ましい。熱処理を施して前記刃先の切れ味を維持できるようにしておけば、長期間切削機能が維持できる。
【００２１】
また、前記基板２としては、その構成材料としてステンレス鋼以外の鋼板、あるいはセラミック、熱硬化性樹脂などで形成することもできる。ただし、非金属材料で形成する場合、強度維持ならびに切削孔部に形成するエッジ（刃先部）を確保するために必要な肉厚とすることが望ましい。
【００２２】
このように構成される本実施形態の角質層除去器具１は、使用に際して、基板２の表面を処置しようとする角質層ａの表面に押し当ててそのまま前後に摺動すると、角質層ａの表層ａ′の一部が基板２に設けられる切削孔４の内部に図２に二点鎖線で示されるように押し込まれる。この状態で基板２が摺動することにより、切削孔４の内周縁部５が切削刃先となってその切削孔４内に食み出した角質層ａの表層ａ′の一部分を削り取る。この際、切削孔４の進行方向に対向する内周縁部５（エッジ部分）によって角質部分が削られることになる。したがって、その一動作では少しの部分が削られるので、深削りにはならない。削り滓は切削孔４から基板２の上面部に向かって排出される。なお、基板２には前述のように、複数の切削孔４が設けられているので、広い面の角質層を除去する場合には、基板２の押し当てによって複数箇所の切削孔４で同時に角質層ａが削られることになる。以後、この操作を繰返して行い除去しようとする角質層ａ部分を順次少しずつ削るようにすれば、無理なく処置することができる。また、この角質層除去器具１は、幅寸法を狭く形成されているのと多数設けた切削孔４の内周縁部５を切削刃先としているので、使用者自身が処置箇所を視認しつつ角質層ａの切除ができるから、効率よく、かつ安全に処置できるのである。
【００２３】
次に、図３に示されるのは、他の実施形態の角質層除去器具であって、その基本構成においては、前記実施形態のものと同様である。この実施形態の角質層除去器具１Ａは、前記実施形態と同様に、基板２を熱処理可能なステンレス鋼（あるいは熱処理可能な鋼板）で形成され、この基板２に設けられる切削孔４の形成部以外の表面（上下両面、以下同様）に砥粒７（例えば、ダイアモンド砥粒，硬質セラミック粉粒，アルミナ質砥粒（アランダム），炭化ケイ素質砥粒（カーボランダム）など）を付着させてなる研削層６を設けたものである。なお、構成上前記実施形態のものと同一もしくは同様の構成部分については、前記実施形態と同一の符号を付して詳細な説明は省略する。
【００２４】
前記基板２の表面に砥粒７を付着させて研削層６を形成する手段としては、例えば電着あるいは蒸着により付着固定するのが好ましい。このほかに、接着剤を用いることも任意なし得る。また、この研削層６は、前記切削孔４の周辺に近づけて設けるようにしておけば、切削孔４の内周縁部５に形成されるエッジ部分（刃先部）の切れ味を長期にわたり維持させることができて効果的である。
【００２５】
このように構成される実施形態の角質層除去器具１Ａによる使用の態様は、前記実施形態と同様にして使用できるのであり、器具を押付けられた角質層ａの表層は研削層６によって接触する部分を全面にわたり研削され、かつ切削孔４の内周縁部５に形成される刃先部分によって、切削孔４内に食み出した角質層表層部ａ′が削られ、より効果的に角質層ａの除去が行えるのである。特に切削孔４の内周縁部５における刃先は、前述のように基板２の表面に設けられた研削層６の砥粒７を切削孔４の周辺に付着させておくことにより、その周辺の砥粒７によって先行して角質層ａが削られ、刃先による削り取りを補助するので、削除処置効果をより一層高めることができる。
【００２６】
図５に示されるのは、他の実施形態の角質層除去器具の全体斜視図である。この実施形態の角質層除去器具１Ｂは、前記基板２の柄部に相当する部分にヤスリ面１０を設けたものである。なお、構成上前記実施形態のものと同一もしくは同様の構成部分については、前記実施形態と同一の符号を付して詳細な説明は省略する。
【００２７】
この角質層除去器具１Ｂは、基板２とヤスリ面１０を備えた支持部８（柄部）とが一体に形成され、その支持部８の幅寸法が前記基板２部分の幅寸法よりやや広く形成されている（ただし、これに限定されるものではない。）。その支持部８の片面に形成されたヤスリ面１０は、適宜ピッチで無数の突起１１を規則的に突設して形成されており、その突起１１は、錐形に形成されているのが好ましい。このような突起１１は、例えば基板２とともに形成される支持部８に鍛圧して形成するのが好ましい。また、この基板２とヤスリ面１０を備える支持部８との表面には、前記実施形態におけると同様の砥粒７を全面的に付着してなる研削層６が設けられている。こうすることにより、前記ヤスリ面１０における突起１１がその表面に砥粒７を付着されてヤスリとしての機能を高められている。
【００２８】
このように構成された角質層除去器具１Ｂは、使用に際して前記実施形態のものと同様に処置しようとする角質層の表面にあてがって擦りつけることにより、切削孔４ではその内周縁部５により角質層の表層が削り取られ、基板２表面の研削層６の砥粒７によって広い範囲で擦り取られる。また、ヤスリ面１０を使用すれば、無数の突起１１により広い範囲の角質層を削ることができる。この際、ヤスリ面１０の突起１１には砥粒７が付着しているので、角質層の表層を速やかに削り落とすことができる。したがって、切削孔４を備える基板２部での角質層の削り取りと、ヤスリ面１０での削り落しとを、状況に応じて使い分けることができる。なお、前記支持部８は片面が突起１１を備えたヤスリ面１０にして、その反対面に砥粒７による研削層６が形成されるようにしておくと、その研削層６の部分で切削孔４やヤスリ面１０によって削り取られて荒れた角質層の表面を平滑に仕上げることができるので便利である。
【００２９】
図６に示されるのは、さらに他の実施形態の角質層除去器具の斜視図である。この実施形態は、基本的構成は前述のものと同様であり、基板２の構造が異なるものである。したがって、構成上前記実施形態のものと同一もしくは同様の構成部分については、前記実施形態と同一の符号を付して詳細な説明は省略する。
【００３０】
この実施形態の角質層除去器具１Ｃは、基板２ｃを前記同様に金属板（ステンレス鋼またはその他の鋼板）にて適宜半径寸法で彎曲させて形成されており、その外面に前述の実施形態と同様に多数の切削孔４が穿設されている。また、このようにされた基板２ｃの表面（上下両面もしくは彎曲外周面）には、前記実施形態のものと同様に砥粒７による研削層６が設けられている。
【００３１】
このように構成される角質層除去器具１Ｃは、主として彎曲する外面側を使用して角質層の削除を行えば、部分的に角質層に当接させて処置することができる。したがって、局部集中的な切除が行えるとともに、除去しようとする部分の周辺部に器具を接触させずに作業でき、しかもその周辺を視認することが容易であるから安心して処置することができる。
【００３２】
また、基板２ｃの彎曲内周面を使用すれば、例えば肘など突出する部位での角質層を除去処置するのに、その突出部位を囲むようにして使用でき、しかも削る刃先部は切削孔４の内周縁部５に設けられるので、方向性を重視することなく自由な方向に動かして削り取ることができるので、効果的である。
【００３３】
上述の把持柄を備える実施形態の説明では、基板２（２ｃ）の把持部分についての説明が省略されているが、この把持部分（柄部３）については、別途形成された柄（例えばプラスチック製）を基板２の柄部３ａに外嵌して把持し易い形状とすることができる。また、必要に応じて前記柄を省略し、基板２（２ｃ）の延長部をそのまま柄とすることも任意なし得る。また、基板２については、必要に応じて短い寸法に形成して取扱い易くすることも任意なし得る。さらに、必要に応じて基板の形状を幅方向に彎曲させた構造とすることができる。このような構成についても、本考案の技術的範疇に属することは言うまでもない。
【図面の簡単な説明】
【００３４】
【図１】本実施形態の皮膚の角質層除去器具を表わす全体斜視図
【図２】図１におけるＡ−Ａ視拡大断面図
【図３】他の実施形態の一部拡大斜視図
【図４】図３の要部の拡大断面図
【図５】他の実施形態の角質層除去器具の斜視図
【図６】他の実施形態の角質層除去器具の斜視図
【符号の説明】
【００３５】
１，１Ａ，１Ｂ，１Ｃ    角質除去器具
２，２ｃ    基板
３    柄部
４    切削孔
５    切削孔の内周縁部
６    研削層
７    砥粒
８    支持部
１０    ヤスリ面
１１    突起
【図１】
0003131031.tif 000003
【図２】
0003131031.tif 000004
【図３】
0003131031.tif 000005
【図４】
0003131031.tif 000006
【図５】
0003131031.tif 000007
【図６】
0003131031.tif 000008